【手続補正書】
【提出日】平成20年3月10日(2008.3.10)
【手続補正１】
【補正対象書類名】明細書
【補正対象項目名】発明の名称
【補正方法】変更
【補正の内容】
【発明の名称】係数データの生成装置および生成方法、それを使用した情報信号の処理装置および処理方法、並びに情報提供媒体
【手続補正２】
【補正対象書類名】明細書
【補正対象項目名】特許請求の範囲
【補正方法】変更
【補正の内容】
【特許請求の範囲】
【請求項１】  複数の情報データからなる入力情報信号を複数の情報データからなる出力情報信号に変換する際に使用される、推定式の係数データを生成する係数データ生成装置であって、
所定数の生徒信号と所定数の教師信号の組み合わせそれぞれに対応させて、上記生徒信号を上記教師信号に変換する際に用いられる推定式の係数データを種係数データとして、格納する格納手段と、
上記入力情報信号と上記出力情報信号との関係を、上記生徒信号を線形変換した信号と上記教師信号を線形変換した信号との関係である変換関係で表し、該変換関係を特定する変換関係特定手段と、
上記入力情報信号を上記出力情報信号に変換する際に用いられる推定式の係数データを、上記変換関係に従って、上記格納手段に格納された複数の上記種係数データを用いた演算で生成する係数生成手段と
を有することを特徴とする係数データ生成装置。
【請求項２】  上記変換関係は、
上記入力情報信号と上記出力情報信号との関係を、上記生徒信号を線形変換した信号と上記教師信号を線形変換した信号との関係で表した際の、各上記生徒信号と上記教師信号とに対する重み付け係数である
ことを特徴とする請求項１に記載の係数データ生成装置。
【請求項３】  上記係数生成手段は、
上記重み付け係数を利用して、複数の上記種係数データの線形和により上記係数データを生成する
ことを特徴とする請求項２に記載の係数データ生成装置。
【請求項４】  上記入力情報信号、上記出力情報信号、上記生徒信号および上記教師信号は、全て音声信号であり、上記出力情報信号は、上記入力情報信号よりもサンプリング周波数が高い
ことを特徴とする請求項１に記載の係数データ生成装置。
【請求項５】  上記変換関係は、
上記入力情報信号に対する上記出力情報信号のサンプリング周波数の変化に対応する
ことを特徴とする請求項４に記載の係数データ生成装置。
【請求項６】  上記係数生成手段は、
上記変換関係に基づくサンプリング周波数の変化に対応する、係数データを生成する
ことを特徴とする請求項５に記載の係数データ生成装置。
【請求項７】  上記入力情報信号、上記出力情報信号、上記生徒信号および上記教師信号は、全て画像信号であり、上記出力情報信号は、上記入力情報信号よりも高解像度である
ことを特徴とする請求項１に記載の係数データ生成装置。
【請求項８】  上記変換関係は、
上記入力情報信号に対する上記出力情報信号の解像度の変化に対応する
ことを特徴とする請求項７に記載の係数データ生成装置。
【請求項９】  上記係数生成手段は、
上記変換関係に基づく解像度の変化に対応する、係数データを生成する
ことを特徴とする請求項８に記載の係数データ生成装置。
【請求項１０】  上記入力情報信号、上記出力情報信号、上記生徒信号および上記教師信号は、全て画像信号であり、上記出力情報信号は、上記入力情報信号よりも画素数が多い
ことを特徴とする請求項１に記載の係数データ生成装置。
【請求項１１】  上記変換関係は、
上記入力情報信号に対する上記出力情報信号の画素数の変化に対応する
ことを特徴とする請求項１０に記載の係数データ生成装置。
【請求項１２】  上記係数生成手段は、
上記変換関係に基づく画素数の変化に対応する、係数データを生成する
ことを特徴とする請求項１１に記載の係数データ生成装置。
【請求項１３】  上記変換関係は、
上記入力情報信号に対する上記出力情報信号の画素数の比率に対応する
ことを特徴とする請求項１０に記載の係数データ生成装置。
【請求項１４】  上記係数生成手段は、
上記変換関係に基づく画素数の比率に対応する、係数データを生成する
ことを特徴とする請求項１３に記載の係数データ生成装置。
【請求項１５】  複数の情報データからなる入力情報信号を複数の情報データからなる出力情報信号に変換する際に使用される、推定式の係数データを生成する係数データ生成方法であって、
上記入力情報信号と上記出力情報信号との関係を、上記生徒信号を線形変換した信号と上記教師信号を線形変換した信号との関係である変換関係で表し、該変換関係を特定するステップと、
上記入力情報信号を上記出力情報信号に変換する際に用いられる推定式の係数データを、上記変換関係に従って、所定数の生徒信号と所定数の教師信号の組み合わせのそれぞれに対応した生徒信号を教師信号に変換する際に用いられる推定式の係数データである、複数の種係数データを用いた演算で生成するステップと
を有することを特徴とする係数データ生成方法。
【請求項１６】  複数の情報データからなる入力情報信号を複数の情報データからなる出力情報信号に変換する際に使用される、推定式の係数データを生成するために、
上記入力情報信号と上記出力情報信号との関係を、上記生徒信号を線形変換した信号と上記教師信号を線形変換した信号との関係である変換関係で表し、該変換関係を特定するステップと、
上記入力情報信号を上記出力情報信号に変換する際に用いられる推定式の係数データを、上記変換関係に従って、所定数の生徒信号と所定数の教師信号の組み合わせのそれぞれに対応し、生徒信号を教師信号に変換する際に用いられる推定式の係数データである、複数の種係数データを用いた演算で生成するステップと
を実行するためのコンピュータプログラムを提供する情報提供媒体。
【請求項１７】  入力された複数の情報データからなる第１の情報信号を、複数の情報データからなる第２の情報信号に変換する情報信号処理装置であって、
上記第２の情報信号に係る注目データの周辺に位置する第１のデータを、上記第１の情報信号から抽出する第１の抽出手段と、
上記第１の情報信号と上記第２の情報信号の関係を表すパラメータ値が入力されるパラメータ入力部と、
複数の種係数データを保持し、上記第１の情報信号を上記第２の情報信号に変換する際に使用する推定式の係数データを、上記パラメータ値に対応させて、上記複数の種係数データの線形和で生成する係数データ生成手段と、
上記推定式を利用して、上記係数データと上記第１のデータとの演算により上記第２の情報信号を生成する演算手段と
を有することを特徴とする情報信号処理装置。
【請求項１８】  上記第２の情報信号に係る注目データの周辺に位置する第２のデータを、上記第１の情報信号から抽出する第２の抽出手段と、
上記第２の抽出手段にて抽出された上記第２のデータに基づいて、上記注目データに係る特徴を検出する特徴検出手段と、
上記特徴に基づいて上記注目データを複数のクラスの一つに分類するクラス分類手段とをさらに備え、
上記保持手段には、上記クラス分類手段で分類されるクラス毎に上記複数の種係数データが保持されており、
上記演算手段は、上記クラス分類手段で分類されたクラスの上記複数の種係数データを使用して生成された係数データを用いて上記第２の情報信号を生成する
ことを特徴とする請求項１７に記載の情報信号処理装置。
【請求項１９】  上記係数データ生成手段は、
所定数の生徒信号と所定数の教師信号の組み合わせのそれぞれに対応し、生徒信号を教師信号に変換する際に用いられる推定式の係数データである複数の種係数データを、格納する格納手段と、
上記パラメータ値にて表された、上記第１の情報信号と上記第２の情報信号との関係を、上記生徒信号を線形変換した信号と上記教師信号を線形変換した信号との関係である変換関係で表し、該変換関係を特定する変換関係特定手段と、
上記第１の情報信号を上記第２の情報信号に変換する際に用いられる推定式の係数データを、上記変換関係に従って、上記格納手段に格納された複数の上記種係数データを用いた演算で生成する係数生成手段と
を有することを特徴とする請求項１７に記載の情報信号処理装置。
【請求項２０】  上記変換関係は、
上記第１の情報信号と上記第２の情報信号との関係を、上記生徒信号を線形変換した信号と上記教師信号を線形変換した信号との関係で表した際の、各上記生徒信号と上記教師信号とに対する重み付け係数である
ことを特徴とする請求項１９に記載の情報信号処理装置。
【請求項２１】  上記係数生成手段は、
上記重み付け係数を利用して、複数の上記種係数データの線形和により上記係数データを生成する
ことを特徴とする請求項２０に記載の情報信号処理装置。
【請求項２２】  上記第１の情報信号、上記第２の情報信号、上記生徒信号および上記教師信号は、全て音声信号であり、上記第２の情報信号は、上記第１の情報信号よりもサンプリング周波数が高い
ことを特徴とする請求項１９に記載の情報信号処理装置。
【請求項２３】  上記変換関係は、
上記第１の情報信号に対する上記第２の情報信号のサンプリング周波数に対応する
ことを特徴とする請求項２２に記載の情報信号処理装置。
【請求項２４】  上記係数生成手段は、
上記変換関係に基づくサンプリング周波数に対応する、係数データを生成する
ことを特徴とする請求項２３に記載の情報信号処理装置。
【請求項２５】  上記第１の情報信号、上記第２の情報信号、上記生徒信号および上記教師信号は、全て画像信号であり、上記第２の情報信号は、上記第１の情報信号よりも高解像度である
ことを特徴とする請求項１９に記載の情報信号処理装置。
【請求項２６】  上記変換関係は、
上記第１の情報信号に対する上記第２の情報信号の解像度の変化に対応する
ことを特徴とする請求項２５に記載の情報信号処理装置。
【請求項２７】  上記係数生成手段は、
上記変換関係に基づく解像度の変化に対応する、係数データを生成する
ことを特徴とする請求項２６に記載の情報信号処理装置。
【請求項２８】  上記第１の情報信号、上記第２の情報信号、上記生徒信号および上記教師信号は、全て画像信号であり、上記第２の情報信号は、上記第１の情報信号よりも画素数が多い
ことを特徴とする請求項１９に記載の情報信号処理装置。
【請求項２９】  上記変換関係は、
上記第１の情報信号に対する上記第２の情報信号の画素数の変化に対応する
ことを特徴とする請求項２８に記載の情報信号処理装置。
【請求項３０】  上記係数生成手段は、
上記変換関係に基づく画素数の変化に対応する、係数データを生成する
ことを特徴とする請求項２９に記載の情報信号処理装置。
【請求項３１】  上記変換関係は、
上記第１の情報信号に対する上記第２の情報信号の画素数の比率に対応する
ことを特徴とする請求項２８に記載の情報信号処理装置。
【請求項３２】  上記係数生成手段は、
上記変換関係に基づく画素数の比率に対応する、係数データを生成する
ことを特徴とする請求項３１に記載の情報信号処理装置。
【請求項３３】  入力された複数の情報データからなる第１の情報信号を、複数の情報データからなる第２の情報信号に変換する情報信号処理方法であって、
上記第２の情報信号に係る注目データの周辺に位置するデータを、上記第１の情報信号から抽出するステップと、
上記第１の情報信号を上記第２の情報信号に変換する際に使用する推定式の係数データを、入力されたパラメータ値に対応させて、複数の種係数データの線形和で生成するステップと、
上記推定式を利用して、上記生成された係数データと上記抽出されたデータとの演算により上記第２の情報信号を生成するステップと
を有することを特徴とする情報信号処理方法。
【請求項３４】  入力された複数の情報データからなる第１の情報信号を、複数の情報データからなる第２の情報信号に変換するために、
上記第２の情報信号に係る注目データの周辺に位置するデータを、上記第１の情報信号から抽出するステップと、
上記第１の情報信号を上記第２の情報信号に変換する際に使用する推定式の係数データを、入力されたパラメータ値に対応させて、複数の種係数データの線形和で生成するステップと、
上記推定式を利用して、上記生成された係数データと上記抽出されたデータとの演算により上記第２の情報信号を生成するステップと
を実行するコンピュータプログラムを提供する情報提供媒体。
【手続補正３】
【補正対象書類名】明細書
【補正対象項目名】０００１
【補正方法】変更
【補正の内容】
【０００１】
【発明の属する技術分野】
この発明は、例えば、ＮＴＳＣ方式のビデオ信号をハイビジョン方式のビデオ信号に変換する際に適用して好適な、係数データの生成装置および生成方法、それを使用した情報信号の処理装置および処理方法、並びに情報提供媒体に関する。詳しくは、入力情報信号と出力情報信号との関係を表した、生徒信号を線形変換した信号と教師信号を線形変換した信号との関係である変換関係に従って、所定数の生徒信号と所定数の教師信号の組み合わせのそれぞれに対応した生徒信号を教師信号に変換する際に用いられる推定式の係数データである複数の種係数データを用いた演算を行って、入力情報信号を上出力情報信号に変換する際に用いられる推定式の係数データを生成することによって、入力情報信号を出力情報信号に変換する際に用いられる推定式の係数データとして、実際に生徒信号、教師信号を使用した学習で得たものと同様のものを得ることができるようにした係数データ生成装置等に係るものである。
【手続補正４】
【補正対象書類名】明細書
【補正対象項目名】００２６
【補正方法】削除
【補正の内容】
【手続補正５】
【補正対象書類名】明細書
【補正対象項目名】００２７
【補正方法】削除
【補正の内容】
【手続補正６】
【補正対象書類名】明細書
【補正対象項目名】００２８
【補正方法】削除
【補正の内容】
【手続補正７】
【補正対象書類名】明細書
【補正対象項目名】００２９
【補正方法】削除
【補正の内容】
【手続補正８】
【補正対象書類名】明細書
【補正対象項目名】００３０
【補正方法】削除
【補正の内容】